Podtech/llm-jp-corpus-v4-ja_patent huggingface dataset:
(57)【要約】      （修正有）【課題】伸縮性をもたらす加工を施し、衣服の素材とするなど新たな利用価値を生み出すダンボール、及びそれを用いた衣服を提供する。【解決手段】表面及び裏面に接着された波状面の溝に沿って、表面及び裏面に切り込み６を入れることで伸縮性のあるダンボールとなる。また、それを使用して、保温性が高く安価であり使い捨てのできる災害用防寒着等の衣服を制作できる。【選択図】図３
0003222184.tif 000002
【実用新案登録請求の範囲】
【請求項１】
表面及び裏面に接着された波状面の溝に沿って、当該表面及び裏面に切り込みを入れたダンボール。
【請求項２】
当該切り込みと垂直方向に一定間隔で平行に複数の切り込みを入れた請求項１に記載のダンボール。
【請求項３】
表面の垂直方向の切り込みと裏面の垂直方向の切り込みが互いに重ならないようにした請求項２に記載のダンボール。
【請求項４】
請求項１乃至３に記載のダンボールを使用して製作した衣服。
【考案の詳細な説明】
【技術分野】
【０００１】  本考案は、伸縮性をもたらす加工を施したダンボール、及びそれを使用した災害時用防寒着等の衣服に関する。
【背景技術】
【０００２】  従来のダンボールには伸縮性はなく、多くが硬い素材として利用されてきた。また、ダンボールは身近に存在するため、コスチュームなどの制作に使うこともあるが、動きにくく実用性に乏しい。
【先行技術文献】
【特許文献】
【０００３】
【特許文献１】実開平５−５０６１２号公報
【特許文献２】実開平７−３１６６３号公報
【特許文献３】特開昭６０−１８２９８１号公報
【考案の概要】
【考案が解決しようとする課題】
【０００４】  ダンボールには、保温性が高い、軽くて丈夫などの特質がある。しかし硬いために物や体にフィットするものは少ない。そこで伸縮性をもたらす加工をすることで、衣服に使用するなど新たな利用価値を生み出す。
【課題を解決するための手段】
【０００５】  ダンボールの表面及び裏面について、当該表面及び裏面に接着されている波状面の溝に沿って切り込みを入れる。また、そのダンボールを使用することで、保温性が高く安価であり使い捨てのできる災害時用防寒着等の衣服を制作できる。
【考案の効果】
【０００６】  切り込みを入れることでダンボールに伸縮性が生まれ、物や体にフィットしやすい素材となる。また、衣服等の素材として活用できる素材となり、ダンボールの新たな利用価値が生まれる。
【図面の簡単な説明】
【０００７】
【図１】表面を上にした斜視図
【図２】裏面を上にした斜視図
【図３】折り曲げた場合の斜視図と断面の拡大図
【図４】表面の切り込みを示す図
【図５】裏面の切り込みを示す図
【図６】断面図
【図７】衣服として使用する場合の一例図
【図８】衣服として使用する場合の一例図
【考案を実施するための形態】
【０００８】  ダンボールの表面及び裏面について、当該表面及び裏面に接着されている波状面の溝に沿って切り込みを入れる。切り込みを入れることでダンボールに伸縮性が生まれ、曲面として使用することも可能になる。また、さらに当該切り込みと垂直方向に一定間隔で切り込みを入れることで、垂直方向にも伸縮が可能となり、物や体にフィットしやすい素材となる。
【実施例】
【０００９】  以下、添付図面に従って一実施例を説明する。一般的にダンボールは図１のように波状に加工した紙を表裏の紙で挟んで接着した構造となっている。このダンボールの表面１に、波状面３の溝に沿って、４の方向に切り込みを入れる。図３、図６の断面図に示すように、表面１と波状面３は一定の間隔で接着されているが、その接着部と接着部の間に切り込み６を入れる。図２は裏面を示している。裏面２についても、表面と同様に、波状面３の溝に沿って、４の方向に切り込みを入れる。その結果、ダンボールに伸縮性が生まれ、曲面として使用することも可能になる。切り込みはすべての溝に対して入れても良いし、溝の数に対して例えば１つおきや２つおきに入れても良い。また、規則的な入れ方でなくても良い。例えばもたらしたい伸縮性の度合いによって領域ごとに部分的に切り込みの数を変えても良い。【００１０】  また、溝に沿って入れた切り込みと垂直の方向５にも一定間隔で平行に切り込みを入れても良い。その結果、長方形又は正方形の切り込みが構成され、縦方向及び横方向に伸縮が可能となる。すると、図３のようにも折り曲げることが可能になる。【００１１】  図４、図５は、切り込みの入れ方の一例である。図４は表面、図５は裏面である。表面及び裏面ともに、波状面３の溝に沿って切り込みを入れるので、方向４の切り込み線は表裏で互いに重ならない。また、方向５に入れる切り込みも、表裏で互いに重ならないようにしてもよい。例えば、表面に入れられた方向５の複数の切り込みのうち、隣り合う２つの切り込みのちょうど中間にあたる位置に、裏面の方向５の切り込みを入れていく。【００１２】  図７、図８は、切り込みを入れたダンボールを衣服へ応用する例である。切り込みを入れたダンボールは伸縮性があり、曲面を構成することができるため、図７のように切り込みを入れ、図８のような衣服を製作することができる。ダンボールは保温性があるので、例えば災害時に着用する防寒着としても使用できる。
【符号の説明】
【００１３】  １  表面
２  裏面
３  波状面
４  波状面３の溝に沿う方向
５  ４と垂直の方向
６  切り込み
【図１】
0003222184.tif 000003
【図２】
0003222184.tif 000004
【図３】
0003222184.tif 000005
【図４】
0003222184.tif 000006
【図５】
0003222184.tif 000007
【図６】
0003222184.tif 000008
【図７】
0003222184.tif 000009
【図８】
0003222184.tif 000010
(57)【要約】      （修正有）【課題】下書きの線を簡単に引くことができ、さらにその時間を省き、かつ文書が上下左右にぶれることなく、きれいな履歴書を書くことができるラインテンプレートの提供。【解決手段】透明な四角形の板状ラインテンプレート１であって、隣会う三辺に沿って目盛２、３、４が設けられており、罫線を引くためガイドとなる矩形の穴が所定の間隔をおいて複数個設けられている。【選択図】図１
0003222102.tif 000002
【実用新案登録請求の範囲】
【請求項１】
透明な四角形の板状ラインテンプレートであって、隣会う三辺に沿って目盛が設けられており、罫線を引くためガイドとなる矩形の穴が所定の間隔をおいて複数個設けられていることを特徴とするラインテンプレート。
【請求項２】
前記矩形の穴の高さが前記所定の間隔よりも大きいことを特徴とする請求項１記載のラインテンプレート。
【考案の詳細な説明】
【技術分野】
【０００１】  本考案は、履歴書の空白部に線を引くためのテンプレートに関するものである。
【背景技術】
【０００２】  空白部に文字を書く時に文字が上下にずれたり、斜めに傾いたりするので、美しく整った文章を書くことが難しい。
【先行技術文献】
【特許文献】
【０００３】
【特許文献１】実用新案登録  第３０６９７５８号
【考案の概要】
【考案が解決しようとする課題】
【０００４】  空白のページにまず筆記用具で線を引いた上で文字を書くと、整った文章が書ける。しかし、下書きの線を引く作業が煩雑で、時間がかかると思う者は多い。そこで本考案のテンプレートを提供することにより、下書きの線を簡単に引くことができ、さらにその時間を省き、かつ文書が上下左右にぶれることなく、整った履歴書を書くことができる。
【課題を解決するための手段】
【０００５】  上記の課題は透明な四角形の板状ラインテンプレートであって、隣会う三辺に沿って目盛が設けられており、罫線を引くためガイドとなる矩形の穴が所定の間隔をおいて複数個設けられていることを特徴とするラインテンプレートによって解決される。その穴の枠に沿って筆記用具で線を引くことが簡単にできるようにする。【０００６】  さらに前記矩形の穴の高さは前記所定の間隔よりも大きいことが望ましい。
【考案の効果】
【０００７】  就職、転職、進学などの時に履歴書は必ず使うといっても過言ではない。履歴書を美しく書き、それによって好印象を持たせることは就職などにおいて重要である。履歴書の空白の部分に文書を書く時に文書が上下左右にゆがむと、見た目が悪くなってしまう。そこで本考案を用いることで、履歴書の空白の部分に筆記用具で線を引くことが簡単かつ少ない時間ででき、その線に沿って文字を書くことで整った美しい文書を書くことができる。これにより、就職などで活動中の方々の役に立つことができる。
【図面の簡単な説明】
【０００８】
【図１】本考案のラインテンプレートの平面図である。
【図２】目盛３、４の拡大図である。
【図３】図１におけるＡ−ＡＡの断面図である。
【図４】本考案のラインテンプレートの使い方を説明する図である。
【考案を実施するための形態】
【０００９】  寸法が固定された透視可能な板状体の一部を切り抜くこと、その枠に沿って筆記用具で線を引くことが簡単にできるようにする。
【実施例】
【００１０】  以下図１、図２、図３、図４により本考案の一実施例を説明する。
本考案のラインテンプレート１は厚さ１ｍｍ、たとえばＡ５サイズとした透明のプラスチックで作られている。隣り合う三辺に沿って目盛２、３、４が印刷されている。目盛２、３、４外側に１ｍｍ単位の目盛が印刷され、内側は０．５ｃｍ単位の目盛が印刷されている。さらに内側に１ｃｍ単位の目盛が印刷されている。ラインガイド穴５、６、７、８、９、１０、１１、１２は高さ７．５ｍｍ、幅１６ｃｍである。ラインガイド穴とラインテンプレートの外の辺との間距離は２５ｍｍである。目盛の部分の拡大図を図２に示す。
ラインガイド穴５、６、７、８、９、１０，１１、１２の間隔１３は６．５ｍｍとする。
上記のように７．５ｍｍと６．５ｍｍとしたのは、０．５ｍｍシャーペンで線を引いた場合にちょうど７ｍｍ程度の間隔の罫線が引けることになる。ただし上記の数値は１実施例である。【００１１】  図３は図１のＡ−ＡＡ断面を示している。ラインテンプレート１を切り抜いてラインガイド穴５が設けられている。テンプレートの厚さはたとえば１ｍｍ、幅１６ｃｍである。【００１２】  図４により本考案のラインテンプレートの使い方を説明する。本物品はＡ５サイズで、テンプレートの短辺をＡ４用紙の長辺に合わせて使うと線が傾かず、使いやすい。
以上説明した本考案のラインテンプレートを用いることによって履歴書を簡単に作成することができる。
【符号の説明】
【００１３】１  ラインテンプレート
２、３、４  目盛
５〜１２    ラインガイド穴
１３  ラインガイド穴の間隔
１４  Ａ４用紙
【図１】
0003222102.tif 000003
【図２】
0003222102.tif 000004
【図３】
0003222102.tif 000005
【図４】
0003222102.tif 000006
(57)【要約】      （修正有）【課題】尿漏れの心配が無く、歩行及び着座可能なペニスカップを提供する。【解決手段】ペニスをペニスカップで覆いペニスカップの尿排泄管２に取り付けたナイロン袋８で構成した。【選択図】図１
0003222105.tif 000002
【実用新案登録請求の範囲】
【請求項１】
樹脂を使用した部材でペニス周囲を覆ったペニスカップ。
【請求項２】
ペニスカップの先端の穴にナイロン袋を付けて尿を溜めるようにした請求項１に記載のペニスカップ
【考案の詳細な説明】
【考案の詳細な説明】
【技術分野】
【０００１】  本考案は尿漏れに対しペニスにペニスカップを腰にベルトで固定して、ペニスカップの装着して有るナイロン袋に尿を溜めるものである。
【背景技術】
【０００２】  尿瓶は移動に不便だが、本考案の小ゾウクンはペニスカップにナイロン袋を付けたまま歩行や着座ができる。
【考案が解決しようとする課題】
【０００３】  ペニスカップにナイロン袋を装着したまま小ゾウクンを腰ベルトで体に固定し、ズボンを履き尿漏れの心配無く外出できる。
【課題を解決するための手段】
【０００４】  ペニスに腰ベルトでペニスカップを固定してペニスカップの先端にビニール袋を装着し、尿を溜める。
【考案を実施するための形態】
【０００５】  以下、本考案の実施の形態について説明する。
（イ）ペニス及び睾丸をペニスカップ▲１▼で覆い腰ベルト▲７▼で左右下からの三方から腰に固定する。
（ロ）穴あきキャップ▲３▼にナイロン袋▲８▼の口を通し尿排泄管▲２▼に取り付けて有るナイロン管▲９▼と尿排泄管▲２▼をナイロン袋▲８▼で覆った後、尿排泄管▲２▼側のネジＡ▲４▼に穴あきキャップ▲３▼側のネジＢ▲５▼を入れて回し、ナイロン袋▲８▼を固定する。
【考案の効果】
【０００６】  介護パンツに比べるとナイロン袋の方が安価で、ナイロン袋の着脱も簡単。
【図面の簡単な説明】
【図１】  ナイロン袋セット前の図（ペニスの入る側）
【図２】  ナイロン袋セット後の全体図
【符号の説明】１  ペニスカップ
２  尿排泄管
３  穴あきキャップ
４  ネジＡ
５  ネジＢ
６  腰ベルト通し穴
７  腰ベルト
８  ナイロン袋
９  ナイロン管
【図１】
0003222105.tif 000003
【図２】
0003222105.tif 000004
(57)【要約】      （修正有）【課題】簡単に取り扱いができ、更には必要時期と雑草自体の最低必要量を含みその雑草近傍に簡単に添加できると共に土中微生物によって分解可能な、或いは無害で土中に残存する素材にしたスティックに含浸させた除草剤含有スティックを提供する。【解決手段】除草剤を吸引又は混合可能で且つ、土中微生物によって分解可能な素材或いは無害で土中に残存する素材により成形したスティック１００、２００、３００、４００中に除草剤を含浸させてなる除草剤含有スティック。【選択図】図１
0003222107.tif 000002
【実用新案登録請求の範囲】
【請求項１】
除草剤を吸引又は混合可能で且つ、土中微生物によって分解可能な或いは無害で土中に残存する素材により成形したスティック中に除草剤を含浸させてなる除草剤含有スティック。
【考案の詳細な説明】
【技術分野】
【０００１】  本考案は、農業、菜園、庭園、ゴルフ場のグリーン等で使う除草剤を含ませた除草剤含有スティックに関するものである。
【背景技術】
【０００２】  従来、農業、菜園、庭園、ゴルフ場のグリーン等で使う除草剤は、液状又は粒状にして子供の手の届かない所に保管し、必要な時期に希釈液状にして噴霧器で散布し又は手撒きをしており、必要以上に撒かれる嫌いがある。このため雑草以外の植物育成に大きな影響を与える。また作業者の皮膚や服に付いたりしてかぶれたりする。【０００３】  例えば、芝生の庭を、綺麗に除草していても次から次へ生えてくるしつこい雑草に多くの人が手を焼いている。またゴルフ場の広大なグリーンにある雑草の駆除は、除草剤の噴霧器での散布又は手撒きをしているが多大な使用量となり且つ多大な労力と時間を必要とする。しかも正規グリーンに対する影響も大きく雨水による溢流拡張も大きい、また雨水による除草剤の地下水への侵入、河川への流出等による自然環境破壊も大きい。
【先行技術文献】
【０００４】
【特許文献】
【特許文献】  特許情報センターでの特許・実案を調査結果では、本願の除草剤含有スティックに該当する者はなかったです。
【考案の開示】
【考案が解決しようとする課題】
【０００５】  このように雑草だけを駆除するには甚だ困難であり雑草近辺の芝生、野菜、花等を不用意に枯らしてしまうなどの事態に直面する。このため簡単に取り扱いができ、更には必要時期と雑草自体の最低必要量を含みその雑草近傍に簡単に添加できると共に土中微生物によって分解可能な素材にしたスティックに含浸させた除草剤含有スティックを提供する。
【課題を解決するための手段】
【０００６】  本考案は前記した課題を満足するものでありその技術的特徴は次の（１）に記載の通りである。【０００７】  （１）、除草剤を吸引又は混合可能で且つ土中微生物によって分解可能な或いは無害で土中に残存する素材により成形したスティック中に除草剤を含浸させてなる除草剤含有スティック。【０００８】
【考案の効果】
【０００９】  本考案の除草剤含有スティックは、前記構成により、雑草根の近傍の土中に差し込んで埋めると微生物によって分解され又は問題なく土中に残存する性質があるため、必要時に土中に埋めると徐々に分解しながら除草剤を地中に拡散して自動的に除草効果を発揮するものである。
【図面の簡単な説明】
【００１０】
【図１】本考案における除草剤含有スティックのスティック形状体例を示す斜視説明図、
【考案を実施するための形態】
【００１１】  本考案の実施形態は、図１に示す実施例（１）〜（４）により詳細に説明する。
図１には除草剤含有スティックのスティック形状体例を示す斜視説明図であり、（１）はゴルフのティーショットで用いるピン形状類の除草剤含有スティック１００であり、（２）は円筒状の除草剤含有スティック２００であり、（３）は６角柱状の除草剤含有スティック３００であり、（４）は単に６角柱状にした除草剤含有スティック４００である。（１）〜（３）の除草剤含有スティック１００，２００，３００の例はいずれも親指の腹を当てて地中への押し込みを容易にしたフランジＦを頭部に形成してある。
【００１２】  本実施例において、除草剤含有スティック１００，２００，３００、４００の処理対象基材は、除草剤を吸引あるいは混合・混練可能であり且つ土中微生物によって分解可能な木・竹・木片等の植物体、古紙などの紙質体、バイオマス系プラスチック等の他に無害で土中に残存する粉炭類、繊維質体、皮・骨・動物体、有機体の単品材ないし２種以上の組み合わせ複合材により調製されている構造型躯体、雑物体群類体、形状確保型枠体、繊維筋組間隙間体ないしは粒体集合群空隙体であり、これらにより所定の前記スティック形状体にしたものである。
【００１３】  本実施例において、前記除草剤含有スティック１００，２００，３００、４００の前記所定のスティック形状体は、被覆型形状体、結着型形状体、集合型形状体、多層型形状体、特定型形状体、構造型形状体、膜状型形状体、補強型形状体ないしは一体型形状体としての特性が確保されていて雑草根近傍の土中に差し込み可能なピン形状体や土中差し込みスティック形状体である。
【００１４】  本実施例において、除草剤含有スティック１００，２００，３００、４００に含浸させる除草剤とは、シバゲンＤＦ、ＭＣＰＰ液剤、アージラン液剤ダブルアップＤＧ、ザイトロン液剤、ロンセイバー、アトラクティブ、ハーレイＤＦ、トリビュートＯＤ、スコリテック液剤など一般公知の、除草剤を言う。
【００１５】  またこの雑草剤に発芽したばかりの雑草の芽や根から吸収される除草剤として、シバゲンＤＦ、ウェイアップフロアブル、シマジンフロアブル、ダブルアップＤＧ、レンザー水和剤、ロンセイバー、アトラクティブ、ラポストフロアブル、サプライズフロアブル、ウェーブル顆粒水和剤、ハプーン乳剤等を前記除草剤に混在させてもよい。
【産業上の利用可能性】
【００１６】  本考案の除草剤含有スティックは、前述のように、優れた作用効果があり、主に農業、庭園業、ゴルフ業界に貢献すること多大なものがある。
【符号の説明】
【００１７】１００，２００，３００、４００：除草剤含有スティック
Ｆ：フランジ
【図１】
0003222107.tif 000003
(57)【要約】      （修正有）【課題】悪臭を解消する除菌指パットを提供する。【解決手段】足指の下部にスポンジや圧縮繊維を用い、指間の隙間に入り込む形状で一体成形しその表面に除菌剤を塗布し、指パットを装着する。【選択図】図１
0003222120.tif 000002
【実用新案登録請求の範囲】
【請求項１】
足の指下部全体にパットを敷きこむ形状としたことを特徴とする除菌指パット。
【請求項２】
五指間の四隙間に入り込む部分を凸形状で一体成型したことを特徴とする、請求項１記載の除菌指パット。
【請求項３】
スポンジの指の接する面に除菌剤を塗布したことを特徴とする、請求項2記載の除菌指パット。
【請求項４】
圧縮した繊維の指の接する面に除菌剤を塗布したことを特徴とする、請求項2記載の除菌指パット。
【考案の詳細な説明】
【技術分野】
【０００１】
本考案は足の指より発生する汗による悪臭を防止することを目的とする、除菌指パット。
【背景技術】
【０００２】
従来の足指パットには、パット本体と指間シートを単体として使用するものがある、パット敷き込み後に指間に指間シートを折り込み使用する、使用するにあたり手間がかかる。
【先行技術文献】
【特許文献】
【０００３】
【特許文献１】実開平2-94532号公報
【考案の概要】
【考案が解決しようとする課題】
【０００４】
靴を履く人は多く、日本は高温多湿の環境下で足の蒸れによる悪臭に困っている人は多い、何とかしたい。
【課題を解決するための手段】
【０００５】
足指下部に、スポンジや圧縮した繊維材に除菌剤を塗布して、一体成型した指パットを指に装着して、靴下を履くことにより足の悪臭より解放される。
【考案の効果】
【０００６】
上述のように使用すると、指の汗を吸収し蒸れを除菌することにより悪臭を防ぐことができる。材質はスポンジや繊維材使用により安価で製造することが可能で、使い捨てが可能となる。
【図面の簡単な説明】
【０００７】
【図１】除菌指パット使用イメージ図
【図２】左側面使用イメージ図
【図３】除菌指パット立面図
【図４】除菌指パット平面図
【考案を実施するための形態】
【０００８】
除菌指パットの使用状態を図１〜２に示し、図３は足の指間にスポンジや
圧縮繊維が入り込む凸形状で一体成形し、除菌剤を塗布した形状を示す。図4は指パットの平面の形状を示す。
【実施例】
【０００９】
図１〜２は除菌指パット使用イメージ図である。
図3は指の隙間に指パットが入り込む凸形状とし、除菌剤を表面に塗布する。
図4は図3の平面図
【産業上の利用可能性】
【００１０】
靴を履き行動する人の、足むれによる悪臭を解決ことにより嫌悪感から開放される。
【符号の説明】
【００１１】
１靴
２足指
３除菌指パット
４拡大スポンジ部分
５拡大圧縮繊維部分
６除菌剤
７凸部分
【図１】
0003222120.tif 000003
【図２】
0003222120.tif 000004
【図３】
0003222120.tif 000005
【図４】
0003222120.tif 000006
(57)【要約】【課題】建物の壁面にセラミック材の被覆層を設けて、断熱、防火などに役立つことを特徴とするコンクリート建物。【解決手段】セラミック材の被覆層を壁面に形成したことを特徴とするコンクリート建物。【選択図】図１
0003222118.tif 000002
【実用新案登録請求の範囲】
【請求項１】
外壁にセラミック材の被覆層を設けたことを特徴とするコンクリート建物。
【請求項２】
内壁にセラミック材の被覆層を設けたことを特徴とする請求項１記載のコンクリート建物。
【考案の詳細な説明】
【技術分野】
【０００１】    この考案は、セラミック被覆層を設けたコンクリート建物に関するものである。
【背景技術】
【０００２】    従来、鉄筋コンクリート製の建物や、一時期、流行の外壁ともコンクリート打ち放しのコンクリート建物がある。そしてこのようなコンクリート建物の断熱対策としてウレタン材、発泡スチロール材などが断熱材として多用されているが、火災のときこれらのウレタン材、発泡スチロール材などはよく燃え、有毒ガスを発生するので甚だ危険である。またこのようなコンクリート製建物の住み心地は木製などと比較して、必ずしもよいものではない。
【考案の概要】
【考案が解決しようとする課題】
【０００３】    解決しようとする問題点は、あまねくコンクリート製の建物において、耐火性に優れ、外気によって冷えることがなく、結露、かびが生ぜず、住む人にとって健康的で快適なコンクリート製の建物を得るものである。
【課題を解決するための手段】
【０００４】    壁面上にセラミック材の被覆層を設けたコンクリート建物とする。
【考案の効果】
【０００５】    壁面上にセラミック被覆層を設けたコンクリート建物とすることによって、外気によって冷えることがなく、内部において結露、かびが生じない。これによって住む人にとって健康的で快適なコンクリート建物を得るものである。またセラミック被覆層は優れた耐熱性、耐火性、断熱性を有するので、火災の際に安全である。また建物壁の外観を高めて装飾の効果もあり、それは汚れを防止し、建物全体の長持ちに役立つ。
【図面の簡単な説明】
【０００６】
【図１】  図１はこの考案のコンクリート建物を示す説明図である。
【考案を実施するための形態】
【０００７】
【実施例】
【０００８】    図１は、この考案の実施例を示す図であって、１はコンクリート建物を示し、その表面にセラミック被覆層２を設けたものである。セラミック被覆層２のセラミック材は、セラミックビーズと呼ばれるもので粉末状を呈し、塗料として吹き付けまたは塗装などでコンクリート建物１の壁面の表面に設ける。また図示してないが、このコンクリート建物１の内部壁面にも、適宜、このセラミック被覆層２を設ける。
【産業上の利用可能性】
【０００９】    壁面にセラミック被覆層を設けたコンクリート建物とすることによって、外気によって冷えることがなく、内部に結露、かびが生しない。これによって住む人にとって健康的で快適なコンクリート建物を得ることができる。セラミック被覆層は優れた耐熱性、耐火性、断熱性を有するので、とくに火災の際に安全である。さらに建物の外観を高めて装飾の効果も期待され、汚れを防止し、建物全体の長持ちに貢献する。
【符号の説明】
【００１０】    １  コンクリート建物
２  セラミック被覆層
【図１】
0003222118.tif 000003
(57)【要約】      （修正有）【課題】鉄骨材の表面にセラミック被覆層を設けた耐熱性を有する断熱、結露防止の鉄骨建材を提供する。【解決手段】鉄骨材の表面にセラミック材の被覆層を設けたことを特徴とする鉄骨建材。【選択図】図１
0003222117.tif 000002
【実用新案登録請求の範囲】
【請求項１】
鉄骨材の表面にセラミック材の被覆層を設けたことを特徴とする鉄骨建材。
【考案の詳細な説明】
【技術分野】
【０００１】    この考案は、鉄骨材の表面にセラミック被覆層を設けた耐熱性を有する建材に関するものである。
【背景技術】
【０００２】    鉄骨材は強度に優れているが、建材としては外気によって冷えることが欠点であり、冷えると結露を生じ、それが原因で内部にかびが発生し、住む人の健康的には甚だよくない。また火災の折、鉄骨材は溶けたり曲がったりする欠点がある。
【考案の概要】
【考案が解決しようとする課題】
【０００３】    解決しようとする問題点は、鉄骨材において、外気によって冷えることがなく、内部において結露、かびが生ぜず、住む人にとって健康的で快適な鉄骨建材を得るものである。
【課題を解決するための手段】
【０００４】    鉄骨材においてセラミック材の被覆層を、塗布または吹き付けなどで形成したことを特徴とする建材。
【考案の効果】
【０００５】    鉄骨材においてセラミック材の被覆層を、塗布または吹き付けなどで形成したことを特徴とする建材として、鉄骨材においてその強度とともに、外気によって冷えることがなく、内部において結露、かびが生じない、これによって住む人にとって健康的で快適な鉄骨建材を得るものである。またセラミック材の被覆層は優れた耐熱性、耐火性、断熱性を有するので、火災の際には鉄骨材が溶けたり曲がったりせず安全である。
【図面の簡単な説明】
【０００６】
【図１】  図１はこの考案の鉄骨材を示す説明図である。
【考案を実施するための形態】
【０００７】
【実施例】
【０００８】    図１は、この考案の実施例を示す図であって、１は断面四角形状の鉄骨材、１’は断面Ｉ字状の鉄骨梁材を示し、それらの表面にセラミック被覆層２を設けたものである。セラミック被覆層２のセラミック材は、セラミックビーズと呼ばれるもので粉末状を呈し、塗料として吹き付けまたは塗装などでそれらの表面に設ける。
【産業上の利用可能性】
【０００９】    鉄骨材においてセラミック材の被覆層を、塗布または吹き付けなどで形成したことを特徴とする建材として、鉄骨材においてその強度とともに、外気によって冷えることがなく、内部において、結露、かびが生じないところの、住む人にとって健康的で快適な鉄骨建材を得ることができる。またセラミック材の被覆層は優れた耐熱性、耐火性、断熱性を有するので、火災の際には鉄骨材が溶けたり曲がったりせず安全である。
【符号の説明】
【００１０】    １  断面四角形状の鉄骨材
１’鉄骨梁材
２  セラミック被覆層
【図１】
0003222117.tif 000003
(57)【要約】      （修正有）【課題】技術試験・レッスン用マネキン顔の顔部分が持ち運び時等において、顔部分を汚れ等から保護することのできる保護マスクを提供する。【解決手段】保護マスク１０は、眉毛、目部分、鼻および口が立体的に形成された美容および／または理容のための技術試験・レッスン用マネキン顔の顔本体用の保護マスクであって、所定の剛性を有し、前記顔本体の少なくとも眉毛以下を覆う保護マスク本体を備えている。【選択図】図２
0003222138.tif 000002
【実用新案登録請求の範囲】
【請求項１】
眉毛、目部分、鼻および口が立体的に形成された美容および／または理容のための技術試験・レッスン用マネキン顔の顔本体用の保護マスクであって、所定の剛性を有し、前記顔本体の少なくとも眉毛以下を覆う保護マスク本体を備えていることを特徴とする保護マスク。
【請求項２】
前記保護マスク本体が、透明または半透明プラスチックで形成されている請求項１の保護マスク。
【請求項３】
前記保護マスク本体の両側部から、該保護マスク本体を前記マネキン顔に取り付けるための一対のストラップが形成されている請求項１または２の保護マスク。
【請求項４】
前記一対のストラップが、保護マスク本体と同一の材料で一体に形成されている請求項４の保護マスク。
【考案の詳細な説明】
【技術分野】
【０００１】
本考案は、保護マスクに関し、更に詳細には、美容および／または理容ための技術試験・レッスン用マネキン顔の保護マスクに関する。
【背景技術】
【０００２】
上記のような技術試験・レッスン用マネキン顔としては、例えば、特許第６０８２４９０号公報で提案された睫毛エクステンション装着試験・練習用マネキン顔が知られている。
【０００３】
このような技術試験・レッスン用マネキン顔は、主に、美容および理容学校の生徒が、自己用として所持し、持ち運ぶことが多い。
【０００４】
このような技術試験・レッスン用マネキン顔は、通常、シリコーン樹脂等で形成されているため、鞄等に入れて持ち運んだりしても、壊れることはないが、他のものと接触し、あるいは擦れて顔の表面が汚れ、試験用として用いることができなくなるということがあった。
【先行技術文献】
【特許文献】
【０００５】
【特許文献１】特許第６０８２４９０号公報
【考案の概要】
【考案が解決しようとする課題】
【０００６】
そこで、本考案は、技術試験・レッスン用マネキン顔の顔部分が持ち運び時等において、顔部分を汚れ等から保護することのできる保護マスクを提供することを目的とするものである。
【課題を解決するための手段】
【０００７】
本考案の上記課題は、以下の（１）〜（４）の構造の保護マスクによって達成することができる。
（１）
眉毛、目部分、鼻および口が立体的に形成された美容および／または理容のための技術試験・レッスン用マネキン顔の顔本体用の保護マスクであって、所定の剛性を有し、前記顔本体の少なくとも眉毛以下を覆う保護マスク本体を備えていることを特徴とする保護マスク。
（２）
前記保護マスク本体が、透明または半透明プラスチックで形成されている前記（１）の保護マスク。
（３）
前記保護マスク本体の両側部から、該保護マスク本体を前記マネキン顔に取り付けるための一対のストラップが形成されている前記（１）または（２）の保護マスク。
（４）
前記一対のストラップが、保護マスク本体と同一の材料で一体に形成されている前記（４）のの保護マスク。
【考案の効果】
【０００８】
本考案においては、技術試験・レッスン用マネキン顔を、練習や試験以外は、保護マスクにより保護しておくことができるので、運搬時等において、顔の部分が他のものに接触して汚れるのを防止できる。
【図面の簡単な説明】
【０００９】
【図１】本考案の実施の形態による保護マスクを技術試験・レッスン用マネキン顔に装着した状態で示した平面図である。
【図２】本考案の実施の形態による保護マスクを技術試験・レッスン用マネキン顔に装着した状態で示した側面図であり、保護マスクのみを断面で示した。
【図３】本考案の実施の形態による保護マスクを示す斜視図である。
【考案を実施するための形態】
【００１０】
図においては、符号Ｍは、顔本体Ｍ−０を備える技術試験・レッスン用マネキン顔を示し、その全体は、シリコーン樹脂等、発泡ウレタン等の比較的軟質な材料で形成されており、その表面には、眉毛Ｍ−１、目部分Ｍ−２（睫毛Ｍ−３）、鼻Ｍ−４および口Ｍ−５が立体的に形成されている。
【００１１】
また、符号１０は、前記技術試験・レッスン用マネキン顔の顔本体Ｍ−０用の保護マスクであって、この保護マスク１０は、所定の剛性（鞄等に入れても簡単には潰れない程度）を有し、前記顔本体Ｍ−０を覆うようにこれに取り付けられる。この保護マスク１０は、顔本体Ｍ−０のすくなくとも眉毛Ｍ−１以下を覆う
【００１２】
前記保護マスク本体１２は、透明または半透明プラスチックで形成されていることが好ましい。この保護マスクを通して、内部の技術試験・レッスン用マネキン顔が見えるようにするためである。場合によっては、不透明であってもよい。素材としても、強度さえ適合するものであれば硬質紙等、パルプモールド等を用いることもできる。
【００１３】
前記保護マスク本体１２には、その両側部から、該保護マスク本体を前記マネキン顔に取り付けるための一対のストラップ１４、１６が形成されていることが望ましい。
この一対のストラップは、保護マスク本体１２と同一の材料で一体に形成されていることが好ましい。
【００１４】
前記一対のストラップ１４、１６の先端（自由端）には、保護マスクを技術試験・レッスン用マネキン顔に確りと装着するための、ゴム紐または布紐を通すための開口１４ａ，１６ａが形成されていることが好ましい。この留める手段としては、面ファスナーであってもよい。
【００１５】
以上説明したように、本考案の保護マスクによれば、技術試験・レッスン用マネキン顔の運搬等の際に、当保護マスクを装着すれば、汚れ防止等を図ることができる。
【符号の説明】
【００１６】
１０  保護マスク
１２  保護マスク本体
１４、１６  ストラップ
１４ａ、１６ａ  ストラップ
【図１】
0003222138.tif 000003
【図２】
0003222138.tif 000004
【図３】
0003222138.tif 000005
(57)【要約】      （修正有）【課題】運転席からの、車体の低い位置にある死角にある物体を感知し、接触を防ぐことができるシステムを提供する。【解決手段】車の運転席からの死角になっている前後左右車の周りの低い位置にある物体を感知するセンサーを取り付け、物体を感知した場合、自動的にブレーキを働き掛けるコンピュータを搭載した装置を介して、車の動きを止める。【選択図】図１
0003222177.tif 000002
【実用新案登録請求の範囲】
【請求項１】
運転席からの死角になっている、前後左右車の周りの低い位置に物体がある場合それを感知するセンサーを取り付け物体を感知した場合、前記配線を介してブレーキに働き掛け、車の動きを止めることを特徴とした、自動ブレーキシステム。
【考案の詳細な説明】
【技術分野】
【０００１】本考案は、自動車で運転席からの死角になっている低い位置の部分を感知できる、センサーとかカメラを取り付け、前記位置に物体があることを感知した場合前記センサーからの配線を介して自動的にブレーキが作動する自動ブレーキシステムに関するものである。
【背景技術】
【０００２】自動車のセンサーは、車の車体に物がぶつからないようにセンサーが働くようになっていて、物体を感知した場合センサーからの配線を介して自動でブレーキがかかるようになっている。
【考案の概要】
【考案が解決しようとする課題】
【０００３】例えば車体の前を例にとると、運転手の身長や車体で少しずつ異なるが乗用車の運転席からは約４メートル先の地面までが死角になるという、その死角に幼児がいた場合、運転席からは見えず、車を動かし車体の低い位置が幼児に接触するという事故が実際に起こっている。車体の前後左右の低い位置の危険に対しては、センサーも働かず、運転席からは見えず事故や運転誤りにつながるケースが少なからず起こっている。
【課題を解決するための手段】
【０００４】本考案は、運転席からの死角になっている、前後左右車の周りの低い位置に物体がある場合それを感知するセンサーを取り付け物体を感知した場合警告を発したり、センサーからの配線を介して、自動でブレーキをかけたりする。また、後進の場合は比較的わかりやすいが、前進の場合も、狭い道を進行する場合は、カメラで確認しながら、進行するというシステムも考えられる。
【考案の効果】
【０００５】車の前方の低い位置に背の低い幼児がいて、気付かず車を前進させて、車体の下に接触したり、巻き込んでしまような、痛ましい事故を防ぐことができる。【０００６】また、狭い道で脱輪したり、縁石に乗り上げたりするのを防ぐこともできる。
【図面の簡単な説明】
【０００７】
【図１】車の周りの低い位置にある物体を感知するセンサーの感知範囲を真上から見た図
【図２】車を横から見た図であって、２の影の部分が感知範囲、物体を感知した場合働く、自動ブレーキシステム
【考案を実施するための形態】
【０００８】運転席からの死角になっている、前後左右車の周りの低い位置に物体がある場合それを感知するセンサーを取り付け物体を感知した場合、配線を介して自動でブレーキをかけたり、警告を発したりする。
【符号の説明】
【０００９】１車
２車の周りに取り付けられたセンサーの感知範囲
３センサーで感知した場合、ブレーキに働き掛ける装置
４ブレーキに働き掛ける装置から、タイヤを止める装置への配線
５タイヤを止める装置
【図１】
0003222177.tif 000003
【図２】
0003222177.tif 000004
【手続補正書】
【提出日】平成31年4月15日(2019.4.15)
【手続補正１】
【補正対象書類名】実用新案登録請求の範囲
【補正対象項目名】全文
【補正方法】変更
【補正の内容】
【実用新案登録請求の範囲】
【請求項１】
運転席からの死角になっている、前後左右の周りの低い位置に物体がある場合それを感知するセンサーを取り付け物体を感知した場合、自動的にブレーキに働き掛けるコンピューターを搭載した装置を介して車の動きを止めることを特徴とした、車の死角にある物体を感知し車の動きを止めるシステム。
(57)【要約】      （修正有）【課題】抗菌・抗ウィルス性作用と消臭効果を発揮する繊維製品を提供する。【解決手段】金属酸化物の微粒子を高温高圧で混ぜ込む、あるいは、高温高圧で練り込んだ布１や糸から作られる繊維製品であって、洗濯回数を増やしても、長期間、抗菌、殺菌作用の効果と消臭の効果を高める。【選択図】図１
0003222178.tif 000002
【実用新案登録請求の範囲】
【請求項１】
糸や布に金属酸化物を付着させ、その上に樹脂加工を施す、又は金属酸化物を混入した樹脂を糸や布に含浸させ、その糸や布を高温高圧に晒すことにより洗濯堅牢度を高めた繊維製品。
【請求項２】
合成繊維に金属酸化物を高温高圧で練り込んだ抗菌  抗ウイルス及び消臭効果が長期間に亘って持続する糸やフィルムから作られる繊維製品。
【請求項３】
糸や布を染色する際に、金属酸化物入り染料で高温高圧染色を行うことにより、抗菌・抗ウィルス及び消臭効果を長期間維持できる繊維製品。
【考案の詳細な説明】
【技術分野】
【０００１】        本考案は、組成分である金属酸化物を、熱と圧力により練り込んだり、染め込んだりすることから、バクテリア、ウィルスを死滅させ、抗菌・抗ウィルス効果と消臭効果をもたらす布や糸やフィルムからできる製品に関するものである。
【背景技術】
【０００２】        従来、薬剤を洗濯物に付着することで、抗菌、殺菌作用を有する寝具や衣類が開発されている。
【先行技術文献】
【特許文献】
【０００３】
【特許文献１】特許公開  平６−２１２５６２
【特許文献２】特許公開  ２０１３−０９９９１９
【考案の概要】
【考案が解決しようとする課題】
【０００４】        金属酸化物の微粒子を布や糸やフィルムに混ぜると、抗菌、殺菌作用を有するため、家庭や病院や高齢者介護施設における感染症の拡大を防止する。効果を持続させるために、高温高圧で樹脂加工するので、どこに菌が付着していても優れた抗菌機能を発揮し、金属酸化物を樹脂加工することで、さらに効果を長期間維持する繊維製品や寝具を提供することを課題とする。
【課題を解決するための手段】
【０００５】        本考案は、繊維や糸の中に金属酸化物の微粒子を練り込んだり、染め込む。銀や銅やチタンや亜鉛などの金属酸化物のうち、性能、価格、副作用を考えると、中でも、亜鉛を用いることが、ほかに比較して最も有効である。【０００６】        本考案は、糸に金属酸化物の微粒子を高温高圧で有効成分を染め込んだり、練り込んだりする。
【考案の効果】
【０００７】        金属酸化物の微粒子を高温高圧で染色工程の際に糸やフィルムに染め込んだり、練り込むことにより、抗菌・抗ウィルス効果と消臭効果を長期間もたせた商品にする。
【図面の簡単な説明】
【０００８】
【図１】金属酸化物の微粒子を染め込んだ布の図。
【図２】金属酸化物の微粒子を練り込んだ糸の図。
【図３】金属酸化物の微粒子を練り込んだフィルムの図。
【考案を実施するための形態】
【０００９】        図１に、本考案の実施形態を例示する。
図１は、金属酸化物の微粒子を吸着した繊維であり、これから作られる繊維製品は、繰り返し洗濯しても抗菌を維持し、長期間の使用に耐え得る抗菌・抗ウィルス性と消臭効果の特徴を持つ織物である。
図２は、金属酸化物の微粒子を練り込んだ糸であり、繊維素の内部まで浸透するので、抗菌・抗ウィルス性と消臭効果を持続的に発揮できる糸である。
図３は、金属酸化物を練りこんだフィルムであり、こちらも抗菌・抗ウィルス性と消臭効果を長期間発揮する。
【符号の説明】
【００１０】１  布
２  高温高圧で染め込んだ金属酸化物の微粒子
３  金属酸化物の微粒子を練り込んだ糸
４  金属酸化物の微粒子を練り込んだフィルム
【図１】
0003222178.tif 000003
【図２】
0003222178.tif 000004
【図３】
0003222178.tif 000005
【手続補正書】
【提出日】平成31年4月22日(2019.4.22)
【手続補正１】
【補正対象書類名】実用新案登録請求の範囲
【補正対象項目名】全文
【補正方法】変更
【補正の内容】
【実用新案登録請求の範囲】
【請求項１】
糸や布に金属酸化物を付着させ、その上に樹脂加工を施す、又は金属酸化物を混入した樹脂を糸や布に含侵させ、その糸や布を高温高圧に晒すことにより、洗濯堅牢度を高めることを特徴とする糸や布である繊維製品。
【請求項２】
合成繊維に金属酸化物を高温高圧で練り込んだことを特徴とする糸や布である繊維製品。
【請求項３】
糸や布を染色する際に金属酸化物入り染料で高温高圧で、水流により生地を循環させて染色することを特徴とする糸や布である繊維製品。
(57)【要約】      （修正有）【課題】手のひらの大きさ程度で携帯しやすくＡ５ほどの大きさの本や携帯電話等を立てて置ける什器を提供する。【解決手段】二つ折りのＭＯケースを開いた状態でＭＯを保持するケース１３と対になるＭＯを被うケース１１の内側に本等を載せるストッパー付き底板１２を蝶番１４でお互いに取り付け、その蝶番１４の位置はＭＯを覆うケース１１内側面積の大きい平面の端で、その端とはＭＯを保持するケース１３とのヒンジに近い部位であり、底板１２の形状は長方形でＭＯを覆うケース１１の内側に収まる大きさであり、底板１２と蝶番１４は一方の長辺部に取り付け、同じ面の反対側の長辺部には土手形状のストッパー１５を取り付け、ストッパー１５付き底板１２はＭＯを覆うケース１１の内側に平行に収まる位置から約１８０度可動することができる。【選択図】図２
0003222977.tif 000002
【実用新案登録請求の範囲】
【請求項１】
ＭＯケースに可動式の底板を取り付けて本や携帯電話などの物体を立てて保持できる構造にする什器。
【請求項２】
ＦＤケースに可動式の底板を取り付けて本や携帯電話などの物体を立てて保持できる構造にする什器。
【考案の詳細な説明】
【技術分野】
【０００１】  本考案はＭＯケースやＦＤケースなど二つ折りの機能を有するケースに可動式の底板を取り付けることで本や携帯電話などの物体を立てて保持することができる携帯型什器に関する。
【背景技術】
【先行技術文献】
【特許文献】
【非特許文献】
【考案の概要】
【考案が解決しようとする課題】
【０００２】  組み立て済の本立てや本棚などは本等を支える部分の大きさが本の半分以上の大きさで携帯するには不向きである。【０００３】  組み立て式の本立てはそれぞれの部品をはめ込むなどの組み立て作業が発生する。【０００４】  本考案は、組み立て済みや組み立て式の本立て等が有する問題を二つ折りのＭＯ、ＦＤケースなどに同じ機能を持たせ携帯しやすい本立て等を実現することを目的とする。
【課題を解決するための手段】
【０００５】  本考案は上記目的を達成する為に、土手（ストッパー）のついたアクリル板等を底板とし、それを蝶番でＭＯ，ＦＤケースの内側へ接着し可動式とした事でケース内側へ収納できる構造である。
【考案の効果】
【０００６】  底板がケース内側へ収納できる構造なのでケースの大きさは変わらず携帯するのに影響がない。【０００７】  全ての部品が繋がっているので着脱が不要で紛失の心配がない。【０００８】  使用する時は折りたたんでいたケースとケース内部に収納されていた底板を完全に開きその底板のストッパー部とケース傾斜部との間に本などの物体を立てて置く事ができる。【０００９】  一個単位で本等を置けるので自由にレイアウトできる。
【図面の簡単な説明】
【００１０】
【図１】  図１は本考案の折りたたみ式携帯型本立ての実施例を示すケースを１８０度開き底板は収納位置のままの状態の図である。
【００１１】
【図２】  本考案の折りたたみ式携帯型本立ての実施例を示すケースと底板を完全に開き本などを立てられる状態の側面図である。
【実施例】
【００１２】  以下、添付図面に従って実施例を説明する。▲１２▼の底板と▲１３▼のケースを▲１４▼の蝶番でお互いを接合する。使用する際はケースを完全に開き、続いて底板を１８０度開いたらその底板を下にして背板が上になるように設置し、▲１１▼背板部と▲１５▼底板のストッパーの間に本等を立てかける。
【符号の説明】
【００１３】  ▲１１▼  ＭＯまたはＦＤケース背板部
▲１２▼  土手（ストッパー）付き底板
▲１３▼  ＭＯまたはＦＤケース収納部
▲１４▼  蝶番
▲１５▼  底板土手（ストッパー）部
【図１】
0003222977.tif 000003
【図２】
0003222977.tif 000004
【手続補正書】
【提出日】令和1年6月26日(2019.6.26)
【手続補正１】
【補正対象書類名】実用新案登録請求の範囲
【補正対象項目名】全文
【補正方法】変更
【補正の内容】
【実用新案登録請求の範囲】
【請求項１】
二つ折りのＭＯケースを開いた状態でＭＯを保持するケースと対になるＭＯを被うケースの内側に本等を載せるストッパー付き底板を蝶番でお互いに取り付け、その蝶番の位置はＭＯを覆うケース内側面積の大きい平面の端で、その端とはＭＯを保持するケースとのヒンジに近い部位であり、底板の形状は長方形でＭＯを覆うケースの内側に収まる大きさであり、底板と蝶番は一方の長辺部に取り付け、同じ面の反対側の長辺部には土手形状のストッパーを取り付け、ストッパー付き底板はＭＯを覆うケースの内側に平行に収まる位置から約１８０度可動することができ、使用時はＭＯケースを完全に開きストッパー付き底板をＭＯを覆うケースの内側に収まっている位置から１８０度反対方向へ動かすとストッパーの付いた面はＭＯを保持するケース側に向き、その面の反対側の平面部を下にして台などに置くとＭＯを保持するケースは上方を向き本や携帯電話などの物体を支える背板として機能し、底板のストッパーは本や携帯電話などの物体の滑り止めとして機能し、ストッパー、底板とＭＯを保持するケースとの部分が物体を立てて保持することができる構造の什器。
【請求項２】
二つ折りのＦＤケースを開いた状態でＦＤを保持するケースと対になるＦＤを被うケースの内側に本等を載せるストッパー付き底板を蝶番でお互いに取り付け、その蝶番の位置はＦＤを覆うケース内側面積の大きい平面の端で、その端とはＦＤを保持するケースとのヒンジに近い部位であり、底板の形状は長方形でＦＤを覆うケースの内側に収まる大きさであり、底板と蝶番は一方の長辺部に取り付け、同じ面の反対側の長辺部には土手形状のストッパーを取り付け、ストッパー付き底板はＦＤを覆うケースの内側に平行に収まる位置から約１８０度可動することができ、使用時はＦＤケースを完全に開きストッパー付き底板をＦＤを覆うケースの内側に収まっている位置から１８０度反対方向へ動かすとストッパーの付いた面はＦＤを保持するケース側に向き、その面の反対側の平面部を下にして台などに置くとＦＤを保持するケースは上方を向き本や携帯電話などの物体を支える背板として機能し、底板のストッパーは本や携帯電話などの物体の滑り止めとして機能し、ストッパー、底板とＦＤを保持するケースとの部分が物体を立てて保持することができる構造の什器。
(57)【要約】      （修正有）【課題】排気管を隔壁にて分離して、特定のガソリンエンジンの性能の向上をめざす排気ガス排出装置を提供する。【解決手段】ローバーミニのエンジン  １２Ｈ型１２Ａ型の排気干渉を改善するため、４気筒エンジン１番シリンダーから４番シリンダーまで個別４本に分け、等長で作製する。【選択図】図１
0003222974.tif 000002
【実用新案登録請求の範囲】
【請求項１】
ローバーミニＡ型エンジンの排気干渉を改善するため、エキゾーストマニホールドを各気筒づつ４本に分け、等長で作製することで性能の向上を目的としたエキゾーストマニホールド。
【考案の詳細な説明】
【技術分野】
【０００１】      ガソリンエンジンの排気ガス排出装置である。
【背景技術】
【０００２】      排気ガスの排出において排気干渉をしながら動いている為、排気音増大、出力低下をおこしていた。
【考案の概要】
【考案が解決しようとする課題】
【０００３】      ４気筒エンジンではあるが、スペース上３本の排気ポートしか無いので集合した２番３番の排気干渉をなくします。
【課題を解決するための手段】
【０００４】      ２番、３番の排気ポートを拡大しインコネル製の仕切り板をポートの中へ入れ込むことで二つに分け単独排気を可能にし、４本に分けた排気管で均等な排気を促します。
【考案の効果】
【０００５】      排気音減少、出力安定、燃費の向上に役立つ。
【図面の簡単な説明】
【０００６】
【図１】      排気管を４本に分け等長管にて集合する
【図２】      排気ポート内部にて部品として仕切り板を組み付け。仕切り板は熱対策のためインコネルで作製
【図３−１】      ポート拡大加工。平面部より奥３０ｍｍまで機械加工。
【図３−２】      図２の仕切り板をポート内に入れ、マニホールドの組み付けと同時に仕切り板を固定する。
【図１】
0003222974.tif 000003
【図２】
0003222974.tif 000004
【図３−１】
0003222974.tif 000005
【図３−２】
0003222974.tif 000006
【手続補正書】
【提出日】令和1年6月21日(2019.6.21)
【手続補正１】
【補正対象書類名】実用新案登録請求の範囲
【補正対象項目名】全文
【補正方法】変更
【補正の内容】
【実用新案登録請求の範囲】
【請求項１】
ローバーミニのエンジン  １２Ｈ型１２Ａ型の排気干渉を改善するため、４気筒エンジン１番シリンダーから４番シリンダーまで個別４本に分け、等長で作製することで性能の向上を目的としたエキゾーストマニホールド